(57)【要約】【課題】  握った場合に力を加え易く、リブにより補強した筒状プロテクタを得る。【解決手段】  筒状プロテクタ７の周囲には、長手方向に沿って複数のリブ７ａが形成され、これらのリブ７ａの断面形状は頂部に平面を有するＴ字状とされている。ここで、電線２ａに接続端子を接続してから、全ての接続端子をコネクタ３ａに挿着し、コネクタ３ａを同様に処理したコネクタ３ｂと嵌合する。続いて、筒状プロテクタ７をコネクタ３ｂ側に引き寄せ、筒状プロテクタ７をコネクタ３ａに連結してから、絶縁被覆９と筒状プロテクタ７の後部の隙間にグロメット１０を押し込み、筒状プロテクタ７の内部を防水構造とする。この筒状プロテクタ７の移動に際して、リブ７ａの上から握ることにより、滑りを生ずることもなく、痛みを感ずることなく、十分に力を加えることができる。【選択図】図１
2007042349.tif 000002
【特許請求の範囲】
【請求項１】
コネクタの後部に連結し前記コネクタに配線した電線を保護する筒状のプロテクタであって、外側の長手方向に複数の補強用リブを形成し、該補強用リブの断面形状を頂部に平面部を有する略Ｔ字状としたことを特徴とするコネクタ用プロテクタ。
【請求項２】
前記コネクタとの接合部においてシール部材を介在したことを特徴とする請求項１に記載のコネクタ用プロテクタ。
【請求項３】
前記ケーブルとの間に防水のためにグロメットを介在したことを特徴とする請求項２に記載のコネクタ用プロテクタ。
【発明の詳細な説明】
【技術分野】
【０００１】
本発明は、コネクタに接続した電線を保護するコネクタ用プロテクタに関するものである。
【背景技術】
【０００２】
多数本の電線を束ねたケーブルをコネクタにより接続する場合に、ケーブルを保護するために、コネクタに筒状プロテクタを連結する場合がある。
【発明の開示】
【発明が解決しようとする課題】
【０００３】
この筒状プロテクタは或る程度の強度が必要であり、肉厚を大きくして強度を増すと重量が大きくなるため、表面にリブを形成して補強することが考えられる。
【０００４】
しかし、この筒状プロテクタは握って、力を加えることも多いので、通常の凸状のリブでは滑り易くかつ手が痛くなり、力が入らないこともある。
【０００５】
本発明の目的は、握った場合に力を加え易くリブにより補強したコネクタ用プロテクタを提供することにある。
【課題を解決するための手段】
【０００６】
上述の目的を達成するための本発明に係るコネクタ用プロテクタの技術的特徴は、コネクタの後部に連結し前記コネクタに配線した電線を保護する筒状のプロテクタであって、外側の長手方向に複数の補強用リブを形成し、該補強用リブの断面形状を頂部に平面部を有する略Ｔ字状としたことにある。
【発明の効果】
【０００７】
本発明に係るコネクタ用プロテクタによれば、強度を高めると共に把持がし易くコネクタへの連結等の操作が容易となる。
【発明を実施するための最良の形態】
【０００８】
本発明を図示の実施例に基づいて詳細に説明する。
【０００９】
図１は実施例の分解斜視図、図２は縦断面図である。ケーブル１ａ、１ｂ中の多数本の電線２ａ、２ｂは、一対の合成樹脂製のコネクタ３ａ、３ｂにより接続されている。コネクタ３ａ、３ｂ内には接続端子が収納され、これらの接続端子に電線２ａ、２ｂがそれぞれ接続されており、コネクタ３ａと３ｂとを嵌合すると、双方の接続端子が電気的に接続されるようになっている。
【００１０】
なお、コネクタ３ａ、３ｂ同士の間は、図示しない合成ゴム製のシール部材により合わせ目から水が浸入しないようにされ、更に各電線２ａ、２ｂごとにコネクタ３ａ、３ｂのハウジングとの間がシール部材により同様にシールされているため、コネクタ３ａ、３ｂの前方又は後方からコネクタ３ａ、３ｂ内に水が浸入することはない。
【００１１】
本実施例では電線２ａ、２ｂの本数が多く、コネクタ３ａ、３ｂ同士の嵌合、解除に大きな力を必要とするため、例えばコネクタ３ａにはカム溝４を有する回動レバー５が設けられ、カム溝４に相手側コネクタ３ｂに設けたピン６を係止して、回動レバー５の回動による両者のてこ作用によってコネクタ３ａ、３ｂ同士を大きな力を要せずに嵌合、解離できるようにしている。
【００１２】
コネクタ３ａの後方には、合成樹脂製又は金属製の筒状プロテクタ７が連結されている。なお、コネクタ３ｂの後方にも同様な筒状プロテクタ７が配置され、コネクタ３ａとほ対称の構造とされているが、以後、コネクタ３ｂの後方部の構造についての説明は省略する。
【００１３】
筒状プロテクタ７の周囲には、長手方向に沿って複数のリブ７ａが形成され、これらのリブ７ａの断面形状は、図３に示すように頂部に平面を有するＴ字状とされている。
筒状プロテクタ７内のコネクタ３ａ側は、コネクタ３ａの後部を覆うと共に嵌合する形状に形成され、コネクタ３ａとの間に合成ゴム製のシール部材８が介在されており、筒状プロテクタ７への前方からの水の浸入が阻止されている。
【００１４】
コネクタ３ａ、３ｂに連結された筒状プロテクタ７とケーブル１ａ、１ｂの絶縁被覆９間には、筒状プロテクタ７の後方から、合成ゴムから成るフランジ付きの筒状で内外面に断面波型を形成したグロメット１０が挿入され、筒状プロテクタ７内は防水構造とされている。また、ケーブル１ａ、１ｂに対し絶縁被覆９上に合成樹脂製のケーブル固定具１１が装着されると共に固定されている。
【００１５】
この固定具１１は絶縁被覆９に対して外面をテーパ面としたスリット付きのスリーブ１２を被着して、締付具１３とナット１４を用いてスリーブ１２の内径を縮小して、絶縁被覆９に固定するようになっている。締付具１３の内面はスリーブ１２のテーパ面に外接するテーパ面とされ、その外周には外ねじ１３ａが刻設されている。また、ナット１４は締付具１３を覆い、その内ねじ１４ａは締付具１３の外ねじ１３ａと螺合するようにされている。
【００１６】
締付具１３のコネクタ３ａ側には２本のピン１３ｂが突出されており、これらのピン１３ｂは締付具１３とグロメット１０の間に挿入された多角リング１５の２つの円弧溝１５ａにそれぞれ挿通されている。なお、多角リング１５の外形の多角部１５ｂは六角形などの多角形とされている。
【００１７】
更に、絶縁被覆９上には合成ゴム製で後部にテーパ部を有するブッシュング１６、環状形でブッシュング１６のテーパ部に当接する金属製スリーブ１７、ナット１８が挿通されている。
【００１８】
また、コネクタ３ａ、３ｂ、筒状プロテクタ７、ケーブル固定具１１の上に、合成樹脂製又は金属製の２つ割りの保護筒１９が被着され、両端においてナット１８により固定されている。そして、保護筒１９の内側には、多角リング１５の多角部１５ｂが嵌まり込む同形の凹部１９ａが形成されている。
【００１９】
組立時には、金属製のナット１８、スリーブ１７、ブッシュング１６を絶縁被覆９に装着する。続いて、ケーブル固定具１１をナット１４、スリーブ１２、締付具１３、多角リング１５の順に挿通し、最後にグロメット１０、筒状プロテクタ７を挿通する。
【００２０】
ここで、電線２ａに接続端子を接続してから、全ての接続端子をコネクタ３ａに挿着し、コネクタ３ａを同様に処理したコネクタ３ｂと嵌合する。続いて、筒状プロテクタ７をコネクタ３側に引き寄せ、筒状プロテクタ７をコネクタ３ａに連結してから、絶縁被覆９と筒状プロテクタ７の後部の隙間にグロメット１０を押し込み、筒状プロテクタ７の内部を防水構造とする。
【００２１】
この筒状プロテクタ７の移動に際して、頂部を平面状としたリブ７ａの上から握ることにより、滑りを生ずることもなく、痛みを感ずることなく、十分に力を加えることができる。
【００２２】
続いて、ケーブル固定具１１を絶縁被覆９上の所定位置に固定し、その後に保護筒１９を周囲に被着すると、保護筒１９内に設けられた多角形の凹部１９ａが多角リング１５の多角部１５ｂの位相と一致していなくとも、つまり角度がずれていても、多角リング１５は円弧溝１５ａにより或る程度の角度だけ回動が可能であり、保護筒１９同士を強く合わせると、多角リング１５が自然に回動して保護筒１９の凹部１９ａ内に嵌まり込む。続いて、保護筒１９のねじ部１９ｂにナット１８を螺合して、図４に示すように２つ割りの保護筒１９を一体化する。
【００２３】
これにより、ケーブル１ａは保護筒１９に固定されることになり、ケーブル１ａに捩れ、伸縮が加わっても、これらの力はブッシュング１６を介して保護筒１９が受けることになる。更に、絶縁被覆９はケーブル固定具１１の多角リング１５を介して保護筒１９に固定されるので、保護筒１９によるコネクタ３ａ、３ｂの保護は確実となる。なお、保護筒１９の被着時における多角リング１５の円弧溝１５ａの長さに相当する捩り分は、コネクタ３ａ側に伝えられるが、これらの捩りは電線２ａが捩れることにより吸収される。なお、コネクタ３ｂ側においてもこれらの作用は同じである。
【図面の簡単な説明】
【００２４】
【図１】実施例の分解斜視図である。
【図２】縦断面図である。
【図３】筒状プロテクタの横断面図である。
【図４】組立状態の斜視図である。
【符号の説明】
【００２５】
１ａ、１ｂ  ケーブル
２ａ、２ｂ  電線
３ａ、３ｂ  コネクタ
７  筒状プロテクタ
７ａ  リブ
８  シール部材
９  絶縁被覆
１０  グロメット
１６  ブッシュング
１８  ナット
１９  保護筒
【図１】
2007042349.tif 000003
【図２】
2007042349.tif 000004
【図３】
2007042349.tif 000005
【図４】
2007042349.tif 000006